(57)【特許請求の範囲】
【請求項１】
記録装置本体に設けられたスタッカ装着部と、
前記スタッカ装着部に装着される着脱自在な被記録媒体トレイ用のスタッカ本体とを備え、
前記スタッカ本体は、前記スタッカ装着部に前記被記録媒体トレイの搬送方向に対して傾斜した姿勢で挿入され、挿入後に該スタッカ本体を回動させて前記被記録材トレイの搬送方向に沿う姿勢に移行することによって被記録媒体トレイを搬送可能にする構成であり、
前記スタッカ本体は、該スタッカ本体の回動基端部が、前記回動時に、前記記録装置本体内に設けられている排出用駆動ローラと排出用従動ローラの対で構成される排出用ローラ、及び前記排出用従動ローラを保持する可動保持フレームの内の可動保持フレームに当接することで、該排出用従動ローラを排出用駆動ローラから退避させてレリース状態にするように構成されていることを特徴とする被記録媒体トレイ用スタッカ装置。
【請求項２】
記録装置本体に設けられたスタッカ装着部と、
前記スタッカ装着部に装着される着脱自在な被記録媒体トレイ用のスタッカ本体とを備え、
前記スタッカ本体は、前記スタッカ装着部に前記被記録媒体トレイの搬送方向に対して傾斜した姿勢で挿入され、挿入後に該スタッカ本体を回動させて前記被記録材トレイの搬送方向に沿う姿勢に移行することによって被記録媒体トレイを搬送可能にする構成であり、
前記スタッカ本体は、該スタッカ本体の回動基端部が、該スタッカ本体の挿入時に、前記記録装置本体内に設けられている排出用駆動ローラと排出用従動ローラの対で構成される排出用ローラ、及び前記排出用従動ローラを保持する可動保持フレームの内の可動保持フレームに当接することで、該排出用従動ローラを排出用駆動ローラから退避させてレリース状態にする又はレリース状態に満たない退避量の一部レリース状態にするように構成されていることを特徴とする被記録媒体トレイ用スタッカ装置。
【請求項３】
請求項１又は２に記載の被記録媒体トレイ用スタッカ装置において、
前記スタッカ本体は、前記スタッカ装着部への挿入経路において回動可能位置を有し、該回動可能位置まで挿入されないと前記回動を行えない構成であることを特徴とする被記録媒体トレイ用スタッカ装置。
【請求項４】
記録装置本体と、
前記記録装置本体に設けられたスタッカ装着部と、該スタッカ装着部に装着される着脱自在な被記録媒体トレイ用のスタッカ本体とを備えた被記録媒体トレイ用スタッカ装置と、
前記スタッカ装着部とは別に前記記録装置本体に設けられ、前記被記録媒体とは別種の被記録材用の排出用スタッカが装着される、他のスタッカ装着部と、を備えた記録装置であって、
前記スタッカ本体は、前記他のスタッカ装着部に着脱自在に装着することによって前記排出用スタッカを兼用するように構成され、
前記被記録媒体トレイ用スタッカ装置は、
記録装置本体に設けられたスタッカ装着部と、
前記スタッカ装着部に装着される着脱自在な被記録媒体トレイ用のスタッカ本体とを備え、
前記スタッカ本体は、前記スタッカ装着部に前記被記録媒体トレイの搬送方向に対して傾斜した姿勢で挿入され、挿入後に該スタッカ本体を回動させて前記被記録材トレイの搬送方向に沿う姿勢に移行することによって被記録媒体トレイを搬送可能にする構成であることを特徴とする記録装置。
【請求項５】
記録装置本体と、
前記記録装置本体に設けられたスタッカ装着部と、該スタッカ装着部に装着される着脱自在な被記録媒体トレイ用のスタッカ本体とを備えた被記録媒体トレイ用スタッカ装置と、
前記スタッカ装着部とは別に前記記録装置本体に設けられ、前記被記録媒体とは別種の被記録材用の排出用スタッカが装着される、他のスタッカ装着部と、を備えた記録装置であって、
前記スタッカ本体は、前記他のスタッカ装着部に着脱自在に装着することによって前記排出用スタッカを兼用するように構成され、
前記被記録媒体トレイ用スタッカ装置は請求項１〜３のいずれか１項に記載の被記録媒体トレイ用スタッカ装置であることを特徴とする記録装置。
【請求項６】
請求項５に記載の記録装置において、
前記スタッカ本体は、前記他のスタッカ装着部に前記排出用スタッカの使用時の姿勢に対して傾斜した姿勢で挿入され、挿入後に該スタッカ本体を回動させて前記使用時の姿勢に移行する構成であることを特徴とする記録装置。
【請求項７】
請求項５または６に記載の記録装置において、
前記スタッカ装着部と前記他のスタッカ装着部とが設けられている記録装置本体における前面開口部に開閉蓋が設けられており、
該開閉蓋は、前記スタッカ本体が前記スタッカ装着部に装着されている状態では閉塞不可能であり、前記スタッカ本体が前記他のスタッカ装着部に装着されている状態では閉塞可能であることを特徴とする記録装置。
【発明の詳細な説明】
【技術分野】
【０００１】
本発明は、記録装置本体に設けられたスタッカ装着部と、前記スタッカ装着部に装着される着脱自在な被記録媒体（例えばＣＤ等）トレイ用のスタッカ本体とを備えた被記録媒体トレイ用スタッカ装置、及び該被記録媒体トレイ用スタッカ装置を備えた記録装置に関する。
【背景技術】
【０００２】
以下、記録装置の一例としてインクジェットプリンタを例に採って説明する。インクジェットプリンタ等の記録装置には、通常の印刷に用いられる普通紙で代表される撓み変形容易な用紙の他に、高剛性で撓み変形しにくい厚紙や、コンパクトディスク（ＣＤ）やＤＶＤ（Digital Versatile Disc）等で代表される光ディスクのラベル面に対して記録を実行することができるものが存在する。そして、例えばＣＤ等のラベル面に対して記録を実行する場合には、専用のＣＤトレイが使用される。ＣＤ等の光ディスクはプレート形状を成す専用トレイに保持され、当該専用トレイに保持された状態でインクジェットプリンタ内の搬送経路を搬送され、そして記録が実行される。
【０００３】
このＣＤ等への記録を可能にするためインクジェットプリンタには、当該ＣＤトレイを案内するＣＤトレイ用のスタッカ本体やＣＤトレイを記録実行のために搬送経路に供給するための送り機構あるいは記録ヘッドとプラテン間のギャップを拡げたり、排出用従動ローラをレリース状態にするための機構等、種々の複雑な機構が設けられていた。
【０００４】
この内、ＣＤトレイ用のスタッカ本体は、従来、下記の特許文献１に示すように、記録実行後の用紙を排出する排出用スタッカとは別体の部材として設けられていた。しかし、排出用スタッカの他に別体のＣＤトレイ用のスタッカ本体（特許文献１におけるアダプタ５０）を設けると部品点数が増大し、製品のコストアップにつながってしまう。
【０００５】
更に、このスタッカ本体は、該スタッカ本体を記録装置本体に手動で装着する着脱式の構造である。この構造の場合、スタッカ本体を記録装置本体の装着部にユーザが手動で装着することになるため、その装着の完全性の点で不十分になりやすい傾向がある。もし、不完全な装着状態のままで、ＣＤトレイを該スタッカ本体上の搬送経路に沿って押し込んだり、或いは搬送手段を作動させて搬送を開始してしまうと、被記録媒体であるＣＤを損傷する問題がある。すなわち、ＣＤは、ＣＤトレイが正しくセットされない状態で無理に押し込まれると、搬送経路にレリースされずに存在する排出用従動ローラ（通常、歯付きローラ）が接触することによって、その記憶されたデータが壊れる問題がある。
【０００６】
そこで、下記の特許文献２に示すように、ＣＤトレイ用のスタッカ本体を排出用スタッカで兼用させた兼用スタッカが発案され、部品点数を減らす試みが既に実施されている。しかし、特許文献２では前記兼用スタッカを記録装置本体に対して当初から組み付ける構成であるため、該兼用スタッカをＣＤトレイ使用時の位置と排出用スタッカとして使用する時の位置との間で大きく移動しなければならなかった。兼用スタッカを上記２つのポジション間で移動させるために、ラック・ピニオンやリンクを使用した複雑な機構が特許文献２では設けられていた。
【特許文献１】特開２００３−２１１７５９号公報
【特許文献２】特開２００４−１３０７７４号公報
【発明の開示】
【発明が解決しようとする課題】
【０００７】
本発明の目的は、ＣＤトレイ等の被記録媒体トレイ用のスタッカ本体が記録装置本体に着脱式であって、ユーザが記録装置本体に対してスタッカ本体の着脱操作を行う構造であっても、当該スタッカ本体が不完全な装着状態で装着される虞を低減し、不完全装着状態のままＣＤトレイ等の被記録媒体トレイを押し込んで当該ＣＤ等を損傷する問題の発生を無くした被記録媒体トレイ用スタッカ装置及び該スタッカ装置を備えた記録装置を提供することにある。
【課題を解決するための手段】
【０００８】
上記課題を解決するために本発明の一つの態様は、記録装置本体に設けられたスタッカ装着部と、前記スタッカ装着部に装着される着脱自在な被記録媒体トレイ用のスタッカ本体とを備え、前記スタッカ本体は、前記スタッカ装着部に前記被記録媒体トレイの搬送方向に対して傾斜した姿勢で挿入され、挿入後に該スタッカ本体を回動させて前記被記録材トレイの搬送方向に沿う姿勢に移行することによって被記録媒体トレイを搬送可能にする構成であり、前記スタッカ本体は、該スタッカ本体の回動基端部が、前記回動時に、前記記録装置本体内に設けられている排出用駆動ローラと排出用従動ローラの対で構成される排出用ローラ、及び前記排出用従動ローラを保持する可動保持フレームの内の可動保持フレームに当接することで、該排出用従動ローラを排出用駆動ローラから退避させてレリース状態にするように構成されていることを特徴とする被記録媒体トレイ用スタッカ装置である。
本発明の他の一つの態様は、記録装置本体に設けられたスタッカ装着部と、前記スタッカ装着部に装着される着脱自在な被記録媒体トレイ用のスタッカ本体とを備え、前記スタッカ本体は、前記スタッカ装着部に前記被記録媒体トレイの搬送方向に対して傾斜した姿勢で挿入され、挿入後に該スタッカ本体を回動させて前記被記録材トレイの搬送方向に沿う姿勢に移行することによって被記録媒体トレイを搬送可能にする構成であり、前記スタッカ本体は、該スタッカ本体の回動基端部が、該スタッカ本体の挿入時に、前記記録装置本体内に設けられている排出用駆動ローラと排出用従動ローラの対で構成される排出用ローラ、及び前記排出用従動ローラを保持する可動保持フレームの内の可動保持フレームに当接することで、該排出用従動ローラを排出用駆動ローラから退避させてレリース状態にする又はレリース状態に満たない退避量の一部レリース状態にするように構成されていることを特徴とする被記録媒体トレイ用スタッカ装置である。
更に本発明の第１の態様に係る被記録媒体トレイ用スタッカ装置は、記録装置本体に設けられたスタッカ装着部と、前記スタッカ装着部に装着される着脱自在な被記録媒体トレイ用のスタッカ本体とを備え、前記スタッカ本体は、前記スタッカ装着部に前記被記録媒体トレイの搬送方向に対して傾斜した姿勢で挿入され、挿入後に該スタッカ本体を回動させて前記被記録材トレイの搬送方向に沿う姿勢に移行することによって被記録媒体トレイを搬送可能にする構成であることを特徴とするものである。
【０００９】
本態様によれば、前記被記録媒体トレイ用のスタッカ本体は、前記スタッカ装着部への挿入時の姿勢（方向）と、ＣＤトレイ等の被記録媒体トレイを搬送する使用時の姿勢（方向）とが異なる。すなわち、本態様は当該被記録媒体トレイ用のスタッカ本体を記録装置本体に対して装着する過程で、挿入時の姿勢（傾斜）から使用時の姿勢（通常水平）に移行させることにより当該スタッカ本体が正しくセットされて初めて前記被記録媒体トレイ（ＣＤトレイ等）を搬送可能にする構成である。
【００１０】
従って、ＣＤトレイ等の被記録媒体トレイ用のスタッカ本体が記録装置本体に着脱式であって、ユーザが記録装置本体に対してスタッカ本体の着脱操作を行う構造であっても、当該スタッカ本体が不完全な装着状態で装着される虞を低減することができる。それにより、当該スタッカ本体が正しくセットされない状態で被記録媒体トレイ（ＣＤトレイ等）を該スタッカ本体上の搬送経路に沿って無理に押し込む、或いは搬送手段を作動させて搬送を開始してしまうことによって、被記録媒体（ＣＤ等）を損傷する問題の発生を低減することができる。
【００１１】
本発明の第２の態様に係る被記録媒体トレイ用スタッカ装置は、前記第１の態様の被記録媒体トレイ用スタッカ装置において、前記スタッカ本体は、前記スタッカ装着部への挿入経路において回動可能位置を有し、該回動可能位置まで挿入されないと前記回動を行えない構成であることを特徴とするものである。
【００１２】
本態様によれば、スタッカ本体はその挿入経路において回動可能位置まで挿入しないと前記回動を行えない構成である。従って、ユーザが当該スタッカ本体を前記スタッカ装着部に挿入し、更に回動できる位置までしっかり挿入し、その状態でその位置で回動させるたけで、当該スタッカ本体が不完全な装着状態で装着される虞を低減することができる。それにより、ユーザが特に意識しなくても、単に挿入動作とそれに続く回動動作を行うだけで、当該スタッカ本体を正しくセットすることが可能となり、被記録媒体（ＣＤ等）損傷の問題の発生を確実に防止することができる。
【００１３】
本発明の第３の態様に係る被記録媒体トレイ用スタッカ装置は、前記第１の態様又は第２の態様の被記録媒体トレイ用スタッカ装置において、前記スタッカ本体の回動基端部には、前記回動時に、排出用従動ローラの可動保持フレームに当接することで該排出用従動ローラを排出用駆動ローラから退避させてレリース状態にする押圧面が設けられていることを特徴とするものである。
【００１４】
本態様によれば、スタッカ本体を前記挿入後に回動させて正しいセット位置に移行する際に、当該被記録媒体用トレイの搬送経路に位置する排出用従動ローラを退避させてレリース状態とするので、自動的に被記録媒体トレイ搬送のための準備が整い、被記録媒体（ＣＤ等）損傷の問題の発生を構造簡単にして確実に防止することができる。
【００１５】
スタッカ本体を挿入後に回動させて被記録材トレイの搬送方向に沿う姿勢にするが、その姿勢が水平である場合は、前記回動に際して当該スタッカ本体の自重もその回動のための力として利用でき、その自重分だけ小さい力で回動することが可能となる。また、スタッカ本体の回動動作に際してユーザは違和感なく小さな力でスタッカ本体を回動することができる。
【００１６】
本発明の第４の態様に係る被記録媒体トレイ用スタッカ装置は、前記第１の態様又は第２の態様の被記録媒体トレイ用スタッカ装置において、前記スタッカ本体の回動基端部には、該スタッカ本体の挿入時に、排出用従動ローラの可動保持フレームに当接することで該排出用従動ローラを排出用駆動ローラから退避させてレリース状態にする又はレリース状態に満たない退避量の一部レリース状態にする当接面が形成されていることを特徴とするものである。
【００１７】
本態様によれば、スタッカ本体の前記挿入時に、当該被記録媒体用トレイの搬送経路に位置する排出用従動ローラを少なくとも一部退避させてレリース状態とするので、前記挿入動作に続く前記回動時に前記排出用従動ローラを完全に退避させて完全にレリース状態にする際の負荷を分散することができる。従って、前記第３の態様と同様にスタッカ本体を正しい姿勢にセットする過程で、小さい負荷で自動的に被記録媒体トレイ搬送のための準備が整い、被記録媒体（ＣＤ等）損傷の問題の発生を構造簡単にして確実に防止することができる。
【００１８】
本発明の第５の態様に係る記録装置は、記録装置本体と、前記記録装置本体に設けられたスタッカ装着部と、該スタッカ装着部に装着される着脱自在な被記録媒体トレイ用のスタッカ本体とを備えた被記録媒体トレイ用スタッカ装置と、前記スタッカ装着部とは別に前記記録装置本体に設けられ、前記被記録媒体とは別種の被記録材用の排出用スタッカが装着される、他のスタッカ装着部とを備えた記録装置であって、前記スタッカ本体は、前記他のスタッカ装着部に着脱自在に装着することによって前記排出用スタッカを兼用するように構成され、前記被記録媒体トレイ用スタッカ装置は前記第１の態様から第４の態様のいずれか１つに記載の被記録媒体トレイ用スタッカ装置であることを特徴とするものである。
【００１９】
インクジェットプリンタ等の記録装置は、そのほとんどが普通紙で代表される撓み変形容易な被記録材に対して記録を実行し、記録済みの前記被記録材を排出用スタッカ上に排出するように構成させている。  
本態様によれば、前記被記録媒体トレイ用のスタッカ本体は、排出用スタッカの装着部に着脱自在に装着することによって前記排出用スタッカを兼用するように構成されているので、単一のスタッカ本体を被記録媒体（ＣＤ等）トレイ用のスタッカ本体と排出用スタッカ用のスタッカ本体とに使い分けることができ、部品点数を減らすことができ、コストダウンに寄与することができる。また保管中のスタッカ本体の紛失が防止される。
【００２０】
本発明の第６の態様に係る記録装置は、前記第５の態様の記録装置において、前記スタッカ本体は、前記他のスタッカ装着部に前記排出用スタッカの使用時の姿勢に対して傾斜した姿勢で挿入され、挿入後に該スタッカ本体を回動させて前記使用時の姿勢に移行する構成であることを特徴とするものである。
【００２１】
本態様によれば、スタッカ本体を被記録媒体トレイ用のスタッカ装着部に装着する場合と、排出用スタッカ用の他のスタッカ装着部に装着する場合とで、共に同じ操作手順によって装着できるから、ユーザは特に注意を払わなくても自然に当該操作を実行できるようになる。また、排出用スタッカ用の前記他のスタッカ装着部は記録装置本体の下部に設けられることが多いから、スタッカ本体を傾斜させた状態で排出用スタッカ用のスタッカ装着部に挿入できることにより、ユーザは無理無くスタッカ本体の挿入を行うことができる。
【００２２】
本発明の第７の態様に係る記録装置は、前記第５の態様又は第６の態様の記録装置において、前記スタッカ装着部と前記他のスタッカ装着部とが設けられている記録装置本体における前面開口部に開閉蓋が設けられており、該開閉蓋は、前記スタッカ本体が前記スタッカ装着部に装着されている状態では閉塞不可能であり、前記スタッカ本体が前記他のスタッカ装着部に装着されている状態では閉塞可能であることを特徴とするものである。
【００２３】
本態様によれば、スタッカ本体を被記録材（ＣＤ等）トレイ用のスタッカ装着部に装着した状態で記録の実行を終了して開閉蓋を閉塞する事態が防止されるので、常に記録装置の起動時には排出用スタッカ使用モードで記録の実行を開始することができる。
【発明を実施するための最良の形態】
【００２４】
以下、本願発明に係る被記録媒体トレイ用スタッカ装置及び該被記録媒体トレイ用スタッカ装置を備えた記録装置について説明する。最初に本願発明の記録装置を実施するための最良の形態としてインクジェットプリンタ１００を取り上げて、その全体構成の概略を図面に基づいて説明する。以下では、被記録媒体としてＣＤＲを取り上げ、被記録媒体トレイをＣＤＲトレイと記載して説明する。
【００２５】
図１はＣＤＲトレイ使用時のインクジェットプリンタの外観を示す斜視図である。図２はＣＤＲトレイ使用時のインクジェットプリンタの内部構造の概略を示す側断面図である。尚、ここで説明するインクジェットプリンタ１００は、例えばＡ４サイズ以下の被記録材Ｐ（普通紙で代表される撓み変形容易な用紙で、以下単に用紙Ｐともいう）を対象にした比較的コンパクトなタイプのインクジェットプリンタであるが、このサイズに限定されないことは勿論である。
【００２６】
記録装置本体の一例であるプリンタ本体３の前面パネル６の中央部には、下部に排出用スタッカ用のスタッカ装着部８が設けられ、上部にＣＤＲトレイ用のスタッカ装着部９が設けられた前面開口部７が設けられている。また、該前面開口部７には開閉蓋２１が設けられている。該開閉蓋２１は、プリンタを使用しない状態では前面開口部７を閉塞するように下部基端を支点に上下に回動自在に設けられている。そして、上記排出用スタッカ用のスタッカ装着部８とＣＤＲトレイ用のスタッカ装着部９に対して後述するスタッカ本体１１が選択的に装着できるようになっている。
【００２７】
プリンタ本体３の上面の後部寄りには、用紙Ｐを自動給送装置２に供給するための上面開口部４が設けられている。該上面開口部４の下方のプリンタ本体３の内部には、用紙Ｐを連続して自動給送するための給送用ローラ１４やホッパ１６を備える自動給送装置２における駆動系の構成部材が設けられている。一方、上面開口部４の上方には給送用トレイ５やエッジガイド１５を備える自動給送装置２における案内系の構成部材が斜め後方上部に向けて延びるように設けられている。
【００２８】
給送用ローラ１４の用紙搬送方向の下流位置には、搬送用駆動ローラと搬送用従動ローラとの一対のニップローラによって構成されている搬送用ローラ１９が設けられている。また、当該搬送用ローラ１９の用紙搬送方向の下流位置には記録実行手段である記録ヘッド１３、該記録ヘッド１３の用紙幅方向への往復移動手段であるキャリッジ１０、用紙Ｐの下面を支え、記録ヘッド１３との間のギャップＰＧを規定するプラテン２８とが設けられている。
【００２９】
また、上記記録ヘッド１３やプラテン２８が設けられている記録ポジションにおける用紙搬送方向の下流位置には、記録実行後の用紙Ｐを前記前面開口部７に導く排出用ローラ２０が設けられている。該排出ローラ２０によって、前記用紙Ｐは排出用スタッカ用のスタッカ装着部８に装着されている状態のスタッカ本体１１の載置面３０上に排出される。尚、当該排出用ローラ２０は、排出用駆動ローラ２２と排出用従動ローラ２３とからなる一対のニップローラによって構成されている。このうち排出用従動ローラ２３は歯付きローラであり、上下方向に所定ストローク移動し得る可動保持フレーム２４によって自由回転可能な状態で保持されている。
【００３０】
また、可動保持フレーム２４には、ＣＤＲレバー２５が回動可能な状態で設けられており、該ＣＤＲレバー２５の一部には自由回転可能な状態で押圧ローラ２６が設けられている。そして、上記可動保持フレーム２４は、ＣＤＲトレイ１２の使用時に上記排出用従動ローラ２３を上方に所定ストローク押し上げて当該排出用従動ローラ２３を前記排出用駆動ローラ２２に対してレリース状態にする。このレリース状態でＣＤＲトレイ１２を該ＣＤＲトレイ１２の搬送経路に押し込むと、ＣＤＲトレイ１２の上面測辺部に設けられている当接作用部がＣＤＲレバー２５の先端部に当接する。続いて該ＣＤＲレバー２５が当該押し込み方向に回転して押圧ローラ２６をＣＤＲトレイ１２の上面に当接させる。そして、上記排出用駆動ローラ２２と当該押圧ローラ２６とによる挟圧送り作用によってＣＤＲトレイ１２の搬送を実行し得るようになっている。
【００３１】
［実施例１］
次に、このようなインクジェットプリンタ１００のプリンタ本体３における前面開口部７に設けられている排出用スタッカ用のスタッカ装着部８と、ＣＤＲトレイ用のスタッカ装着部９と、これら２つのスタッカ装着部８、９に対して選択的に装着されるスタッカ本体１１の構成について図面に基づいて具体的に説明する。
【００３２】
図３は開閉蓋を取り除いた状態のプリンタ本体を示す正面図である。図４はスタッカ本体をＣＤＲトレイ用のスタッカ装着部に装着する場合の挿入時の状態を示す図３中のＡ−Ａ断面図、図５は挿入後の回動セット時の状態を示す図３中のＡ−Ａ断面図である。図６は回動セット後のＣＤＲトレイ押し込み挿入時の状態を示す図３中のＡ−Ａ断面図、図７はＣＤＲトレイ押し込み完了時の状態を示す図３中のＡ−Ａ断面図である。図８はスタッカ本体を排出用スタッカ用のスタッカ装着部に装着する場合の挿入時の状態を示す図３中のＡ−Ａ断面図、図９は挿入後の回動セット時の状態を示す図３中のＡ−Ａ断面図である。図１０はスタッカ本体を示す斜視図、図１１はＣＤＲトレイを示す斜視図である。
【００３３】
排出用スタッカ用のスタッカ装着部８は、プリンタ本体３の前面開口部７における左右の側面の下部に対向するように設けられている。排出用スタッカ用のスタッカ装着部８は、スタッカ本体１１の挿入を案内する奥部下方に向けて傾斜した挿入案内溝３１と、該挿入案内溝３１の奥部側に拡がっている回動許容スペース３２と、スタッカ本体１１のセット時の傾斜姿勢を設定する上記回動許容スペース３２の上部に形成された係合凹部３３とを備えている。
【００３４】
ＣＤＲトレイ用のスタッカ装着部９は、プリンタ本体３の前面開口部７における左右の側面の上部に対向するように設けられている。ＣＤＲトレイ用のスタッカ装着部９は、前記排出用スタッカ用のスタッカ装着部８と同様に構成されている。即ち、スタッカ本体１１の挿入を案内する奥部下方に向けて傾斜した挿入案内溝３４と、該挿入案内溝３４の奥部側に拡がっている回動許容スペース３５と、スタッカ本体１１のセット時の水平姿勢を設定する上記回動許容スペース３５の上部に形成された係合凹部３６とを備えている。即ち、スタッカ本体１１は、前記スタッカ装着部９への挿入経路において回動可能位置を有している構成であり、該回動可能位置まで挿入されないと前記回動を行えない構成である。そして、上記挿入案内溝３４の傾斜角度は、上記排出用スタッカ用のスタッカ装着部８における挿入案内溝３１の傾斜角度より緩やかに形成されている。
【００３５】
スタッカ本体１１は、上記２つのスタッカ装着部８、９に対して選択的に装着される。そして、該スタッカ本体は、その上面に設けられる左右一対のＣＤＲトレイガイド３７と、前記スタッカ本体１１の回動基端寄りの左右の側面に設けられている２本の回動軸３８と、該回動軸３８の更に回動基端寄りに設けられている２本の係合セット軸３９とを備えている。スタッカ本体１１は射出成形等によって成形される矩形平板状のプラスチック成形部品である。そして、スタッカ本体１１は、その上面が後述するように排出用スタッカとして使用した場合の記録実行後の用紙Ｐにおける載置面３０になっている。
【００３６】
また、スタッカ本体１１の回動基端部には、回動時に排出用従動ローラ２３の可動保持フレーム２４の一部に当接することで、前記排出用従動ローラ２３を上方に押し上げて前記排出用駆動ローラ２２から退避させた完全レリース状態にする押圧面４３が設けられている。
【００３７】
ＣＤＲトレイガイド３７は、上記載置面３０に対して一例として正面視で左寄りの上面に左右一対、対向するように設けられている（図１及び図１０）。ＣＤＲトレイガイド３７は、載置面３０から上方に立ち上げられたリブ状の側面ガイド部４０と、該側面ガイド部４０の上部において内側に庇状に張り出すように設けられている上面ガイド部４１とを備える断面形状が逆Ｌ字状をした部材である。また、前記一対のＣＤＲトレイガイド３７は、ＣＤＲトレイ１２の搬送方向に延びるように平行に形成されている。前記側面ガイド部４０の前後両端部には、当該スタッカ本体１１を排出用スタッカとして使用した場合に用紙Ｐの排出を円滑にする案内傾斜面４２が形成されている。また、図１０中、右側に位置するＣＤＲトレイガイド３７における側面ガイド部４０の前端部は、外方に拡がるように傾斜した状態で設けられており、ＣＤＲトレイ１２の円滑な挿入を可能にしている。
【００３８】
回動軸３８は、スタッカ本体１１を回動する場合に回動支点となる軸部材である。具体的には、当該回動軸３８は、スタッカ本体１１をそれぞれのスタッカ装着部８、９に挿入してセット方向に回動させる際の回動支点となる。更に、それぞれのスタッカ装着部８、９にセットされているスタッカ本体１１を取り外すためにそれぞれの挿入案内溝３１、３４に沿う方向に回動させる際の回動支点となっている。また、スタッカ本体１１を排出用スタッカ用のスタッカ装着部８に装着した場合には、該スタッカ本体１１を上方に折り畳むことが可能に構成されている。そして、該折畳み方向にスタッカ本体１１を回動させたり、折畳み状態のスタッカ本体１１を手前に回動させて、排出用スタッカ使用モードにする場合の回動支点としても前記回動軸３８は機能している。
【００３９】
係合セット軸３９は、スタッカ本体１１をそれぞれの挿入案内溝３１、３４に完全に挿入した状態でそれぞれの回動許容スペース３２、３５に至り、スタッカ本体１１の手前への回動に伴って前記回動許容スペース３２、３５内を回動しながら移動するように構成されている。そして、上記係合セット軸３９は、スタッカ本体１１が排出用スタッカ使用モードあるいはＣＤＲトレイ使用モードの位置に達したところで係合凹部３３あるいは係合凹部３６に係合し、スタッカ本体１１の前記２つの使用モードにおける当該スタッカ本体１１の姿勢を保持する機能を有している。
【００４０】
次に、このように構成される本発明の被記録媒体（ＣＤＲ）トレイ用スタッカ装置の作動態様を、（１）ＣＤＲトレイ用スタッカとして使用する場合と、（２）排出用スタッカとして使用する場合に分けて説明する。
【００４１】
（１）ＣＤＲトレイ用スタッカとして使用する場合（図４〜図７参照）
本発明のスタッカ本体１１をＣＤＲトレイ用スタッカとして使用する場合には、スタッカ本体１１を、図４に示すように、上方に位置するＣＤＲトレイ用のスタッカ装着部９に挿入する。尚、該スタッカ本体１１は、ＣＤＲトレイ用のスタッカ装着部９に完全に挿入された状態にならないと、当該スタッカ本体１１の回動基端部側の前記係合セット軸３９が回動許容スペース３５に到達しないため、水平になる方向に回動できないようになっている。
【００４２】
スタッカ本体１１をＣＤＲトレイ用のスタッカ装着部９に完全に挿入したら、図５に示すように、スタッカ本体１１は、ＣＤＲトレイ１２の搬送方向と平行になるように回動軸３８を中心にして回動し、ＣＤＲトレイ使用モードに移行する。尚、この場合、スタッカ本体１１の前記回動は、ユーザが該スタッカ本体１１の先端部を持って手動でスタッカ本体１１を手前に倒すことにより行われるが、スタッカ本体１１の自重が当該回動に貢献するようになっている。尚、スタッカ本体１１の自重だけで前記回動が行われるように構成することも可能である。そして、スタッカ本体１１の回動に伴ってスタッカ本体１１の押圧面４３が可動保持フレーム２４の一部に当接し、上方に可動保持フレーム２４を押し上げ、可動保持フレーム２４に保持されている排出用従動ローラ２３を完全レリース状態にする。
【００４３】
即ち、スタッカ本体１１は、スタッカ装着部９への挿入経路において回動可能位置を有し、該回動可能位置まで挿入されないと前記回動を行えない構成である。この「回動可能位置」は、スタッカ本体１１をその位置まで挿入して初めて回動可能となり、そしてその位置で回動させたときにＣＤＲトレイ１２の搬送経路の構成部材が該トレイ１２の搬送のための配置に移行（排出用従動ローラ２３が排出用駆動ローラ２２からレリース）して搬送準備が整うように構成されている。
【００４４】
次に、記録を実行するＣＤＲをラベル面を上にしてＣＤＲトレイ１２上に保持させ、ＣＤＲが保持されたＣＤＲトレイ１２をスタッカ本体１１の上面に形成されているＣＤＲトレイガイド３７に合わせて挿入する。そして、図６に示すように、ＣＤＲレバー２５に接触する位置まで当該ＣＤＲトレイ１２を押し込む。更に、ＣＤＲトレイ１２を押し込むと前記ＣＤＲレバー２５がＣＤＲトレイ１２によってその挿入方向に回動する。そして、図７に示すように、ＣＤＲトレイ１２の上面に押圧ローラ２６が接触した状態に至る。これ以後は、ＣＤＲトレイ１２使用時の記録実行モードに従って排出用駆動ローラ２２が逆転方向及び正転方向に回転し、押圧ローラ２６との挟圧送り作用によってＣＤＲトレイ１２を記録ポジションに向けて搬送し、記録実行後、元の位置に戻す。
【００４５】
（２）排出用スタッカとして使用する場合（図８、図９参照）
本発明のスタッカ本体１１を排出用スタッカとして使用する場合には、該スタッカ本体１１を、図８に示すように、下方に位置する排出用スタッカ用のスタッカ装着部８に挿入する。尚、当該スタッカ本体１１は、排出用スタッカ用のスタッカ装着部８に完全に挿入された状態にならないと、当該スタッカ本体１１の回動基端部側の前記係合セット軸３９が回動許容スペース３２に到達しないため、手前に回動できないようなっている。
【００４６】
スタッカ本体１１を排出用スタッカ用のスタッカ装着部８に完全に挿入したら、図９に示すように、スタッカ本体１１の先端部を持って手前に倒し、スタッカ本体１１の先端部が幾分上方に持ち上げられた傾斜姿勢の排出用スタッカ使用モードに移行させる。そして、当該スタッカ本体１１に対して図示しない延長スタッカ等が設けられている場合には、当該延長スタッカ等を引き出して展開状態にする。それ以後は、通常の用紙Ｐに対する記録実行モードに従って記録を実行された用紙Ｐがスタッカ本体１１の載置面３０上に順次排出されてスタックされて行く。
【００４７】
また、すべての用紙Ｐに記録が実行されて記録動作が終了した後は、スタッカ本体１１の載置面３０上から当該用紙Ｐを取り除き、開閉蓋２１を上方に回動させてプリンタ本体３の前面開口部７を閉塞する。ここで、上記開閉蓋２１の回動に伴って、上記排出用スタッカ使用モードに位置していたスタッカ本体１１も上方に向けて回動し、上方に折り畳まれた状態になる。一方、スタッカ本体１１が上部のＣＤＲトレイ用のスタッカ装着部９に装着されている場合には、スタッカ本体１１は挿入案内溝３１に沿った位置まで回動できるが、それ以上は回動できないため、上記開閉蓋２１を完全に閉めることができないように構成されている。
【００４８】
［実施例２］
図１２は実施例１とは異なる本発明の他の実施例２を示し、スタッカ本体をＣＤＲトレイ用のスタッカ装着部に装着する場合の挿入時の状態を示す図３中のＡ−Ａ断面図である。図１２に示すように、スタッカ本体１１の回動基端部に当接面４４が設けられている。この当接面は、ＣＤＲトレイ用のスタッカ装着部９にスタッカ本体１１を挿入する際、可動保持フレーム２４の一部に当接することで排出用従動ローラ２３を上方に押し上げて完全レリース状態または完全レリース状態に満たない一部レリース状態にする。因みに、このような当接面４４を設けた場合には、スタッカ本体１１を手前に回動させる際の負荷が小さくなり、スタッカ本体１１の上記回動が更に円滑になる。
【００４９】
［実施例３］
前記実施例１または実施例２においては、スタッカ本体１１は、記録装置本体３の下方に位置する排出用スタッカ用のスタッカ装着部８に装着したときは排出用スタッカとして使用でき、上方に位置するＣＤＲトレイ用のスタッカ装着部９に装着したときはＣＤＲトレイ用スタッカとして使用できる兼用構造のものとして説明したが、この兼用構造に限定されないことは勿論である。排出用スタッカがＣＤＲトレイ用スタッカとは別個独立に専用の排出用スタッカとして設けられている構造であってもよい。
【００５０】
本願発明に係るＣＤＲトレイ用スタッカ装置及び該ＣＤＲトレイ用スタッカ装置を備えた記録装置１００は、以上述べたような構成を基本とするものであるが、本願発明の要旨を逸脱しない範囲内の部分的構成の変更や省略等を行うことも勿論可能である。
【図面の簡単な説明】
【００５１】
【図１】ＣＤＲトレイ使用時のインクジェットプリンタの外観を示す斜視図。
【図２】インクジェットプリンタの内部構造の概略を示す側断面図。
【図３】開閉蓋を取り除いた状態のプリンタ本体を示す正面図。
【図４】ＣＤＲトレイ使用時のスタッカ本体の挿入時の状態を示す側断面図。
【図５】ＣＤＲトレイ使用時のスタッカ本体の回動セット時の状態を示す側断面図。
【図６】ＣＤＲトレイ使用時のスタッカ本体のＣＤＲトレイ挿入時の状態を示す側断面図。
【図７】ＣＤＲトレイ使用時のスタッカ本体のＣＤＲトレイセット完了時の状態を示す側断面図。
【図８】排出用スタッカ使用時のスタッカ本体の挿入時の状態を示す側断面図。
【図９】排出用スタッカ使用時のスタッカ本体の回動セット時の状態を示す側断面図。
【図１０】ＣＤＲトレイ用スタッカ装置を示す斜視図。
【図１１】ＣＤＲトレイを示す斜視図。
【図１２】スタッカ本体の回動基端部に当接面を設けた他の実施例を示すＣＤＲトレイ使用時のスタッカ本体の挿入時の状態を示す側断面図。
【符号の説明】
【００５２】
２  自動給送装置、３  プリンタ本体（記録装置本体）、４  上面開口部、５  給送用トレイ、６  前面パネル、７  前面開口部、８  （排出用スタッカ用の）スタッカ装着部、９  （ＣＤＲトレイ用の）スタッカ装着部、１０  キャリッジ、１１  スタッカ本体、１２  ＣＤＲトレイ、１３  記録ヘッド、１４  給送用ローラ、１５  エッジガイド、１６  ホッパ、１９  搬送用ローラ、２０  排出用ローラ、２１  開閉蓋、２２  排出用駆動ローラ、２３  排出用従動ローラ、２４  可動保持フレーム、２５  ＣＤＲレバー、２６  押圧ローラ、２８  プラテン、３０  載置面、３１  挿入案内溝、３２  回動許容スペース、３３  係合凹部、３４  挿入案内溝、３５  回動許容スペース、３６  係合凹部、３７  ＣＤＲトレイガイド、３８  回動軸、３９  係合セット軸、４０  側面ガイド部、４１  上面ガイド部、４２  案内傾斜面、４３  押圧面、４４  当接面、１００  インクジェットプリンタ（記録装置）、Ｐ  用紙（被記録材）、ＰＧ  ギャップ
【図１】
0004873172.tif 000002
【図２】
0004873172.tif 000003
【図３】
0004873172.tif 000004
【図４】
0004873172.tif 000005
【図５】
0004873172.tif 000006
【図６】
0004873172.tif 000007
【図７】
0004873172.tif 000008
【図８】
0004873172.tif 000009
【図９】
0004873172.tif 000010
【図１０】
0004873172.tif 000011
【図１１】
0004873172.tif 000012
【図１２】
0004873172.tif 000013